(57)【特許請求の範囲】
【請求項１】
浴槽パンに床下作業用孔が形成されていて、前記浴槽パンと洗い場パンとが、前記浴槽パン上側から前記床下作業用孔を介しての作業によって床下側に設けられた浴室内に露出しない接続手段によって接続され、
前記浴槽パンと洗い場パンとの接続部において、床面間がほぼ段差なく接続されるとともに、前記浴槽パンおよび洗い場パンが、浴槽パンと洗い場パンとの接続縁を除く周縁部にそれぞれ壁パネル受部を有し、接続状態でこれら壁パネル受部が同一平面内に配置され、
浴槽の固定部が前記床下作業用孔の周囲に水密に固定される浴室ユニットであって、
前記浴槽が、浴槽本体と、浴槽下部部材を備え、
前記浴槽本体が、浴槽部と、浴槽部の上端縁から外側に張り出すように設けられた框部と、框部から下方に前記浴槽部の底より少し高い位置まで延出し、前記浴槽部の周壁との間に浴槽に用いる機能部品の配設空間を形成するエプロン部とを有し、
前記浴槽下部部材が、皿状をしていて、床下作業用孔内に臨む部材本体と、この部材本体の上縁からフランジ状に張り出し、前記床下作業用孔の周縁に水密に固定される浴槽パン固定部を有し、
前記エプロン部は、その下端が、前記浴槽パン固定部の上面に水密に支持され、その一部に開口部を有するとともに、この開口部を水密かつ開閉自在に覆う蓋を備えていることを特徴とする浴室ユニット。
【請求項２】
洗い場パンの床面と浴槽パンの床面との接続部上縁がほぼ同じ高さ位置になるように接続されているとともに、洗い場パンが接続縁に沿って排水口を有し、洗い場パンの床面および浴槽パンの床面がそれぞれ前記排水口に向かう排水勾配に形成されている請求項１に記載の浴室ユニット。
【発明の詳細な説明】
【技術分野】
【０００１】
本発明は、浴室ユニットに関する。
【背景技術】
【０００２】
従来、床が2枚以上のパンを接続して構成されている浴室ユニットは、パンの接続部を浴槽または浴槽エプロンで隠蔽しているものが一般的である。この際、浴槽は3方が壁に接している。
また、浴室の床を段差なしに仕上げてその上に壁から独立した高級感のある置き型浴槽を置くことは、在来工法浴室では一般的だが、浴室ユニットで行うとパンの接続部が露出してくる。従来はパン接続をパンの上からビス等で固定することで行っているが、ビスを目隠しするための部材が必要となり、意匠上好ましくない。
【０００３】
そこで、浴槽パンの浴槽が載置される部分に蓋付きの床下作業用孔を設けて、作業者がこの床下作業用孔を介して浴槽パンと洗い場パンとの接続部の裏側に手や体を差し入れて床下側で２つのパンをボルトナットで接続できるようにした浴室ユニットが既に提案されている（特許文献１）。
すなわち、この浴室ユニットの場合、上記のように床下側で２つのパンをボルトナットで接続できるようにしたので、浴室の床側にはビスなどが露出することがなく、床下作業用孔は蓋を取り付けた後、その上に浴槽が載置されるので、入浴者からみえない。したがって、見栄えがよい高級感のある置き型浴槽を採用することができる。
【先行技術文献】
【特許文献】
【０００４】
【特許文献１】特許第４７４２２３６号公報
【発明の概要】
【発明が解決しようとする課題】
【０００５】
しかし、浴槽パンの周壁と、洗い場パンとの周壁との間に段差があり、浴槽パンと洗い場パンとに跨る位置にドアを設けることができない。また、段差をなくすためには洗い場パンの上にすのこ等の別部材を置く方法が考えられるが、清掃が面倒である。
【０００６】
本発明は、上記事情に鑑みて、ドアや窓等の取付位置を浴室壁面の全周にわたって自由に選択することができる浴室ユニットを提供することを目的としている。
【課題を解決するための手段】
【０００７】
上記目的を達成するために、本発明にかかる浴室ユニットは、浴槽パンに床下作業用孔が形成されていて、前記浴槽パンと洗い場パンとが、前記浴槽パン上側から前記床下作業用孔を介しての作業によって床下側に設けられた浴室内に露出しない接続手段によって接続され、前記浴槽パンと洗い場パンとの接続部において、床面間がほぼ段差なく接続されるとともに、前記浴槽パンおよび洗い場パンが、浴槽パンと洗い場パンとの接続縁を除く周縁部にそれぞれ壁パネル受部を有し、接続状態でこれら壁パネル受部が同一平面内に配置され、浴槽の固定部が前記床下作業用孔の周囲に水密に固定される浴室ユニットであって、前記浴槽が、浴槽本体と、浴槽下部部材を備え、前記浴槽本体が、浴槽部と、浴槽部の上端縁から外側に張り出すように設けられた框部と、框部から下方に前記浴槽部の底より少し高い位置まで延出し、前記浴槽部の周壁との間に浴槽に用いる機能部品の配設空間を形成するエプロン部とを有し、前記浴槽下部部材が、皿状をしていて、床下作業用孔内に臨む部材本体と、この部材本体の上縁からフランジ状に張り出し、前記床下作業用孔の周縁に水密に固定される浴槽パン固定部を有し、前記エプロン部は、その下端が、前記浴槽パン固定部の上面に水密に支持され、その一部に開口部を有するとともに、この開口部を水密かつ開閉自在に覆う蓋を備えていることを特徴としている。
【０００８】
本発明の浴室ユニットは、特に限定されないが、たとえば、洗い場パンの床面と浴槽パンの床面との接続部上縁がほぼ同じ高さ位置になるように接続されているとともに、洗い場パンが接続縁に沿って排水口を有し、洗い場パンの床面および浴槽パンの床面がそれぞれ前記排水口に向かう排水勾配に形成されている構成とすることが好ましい。
【発明の効果】
【０００９】
上記目的を達成するために、本発明にかかる浴室ユニットは、浴槽パンに床下作業用孔が形成されていて、前記浴槽パンと洗い場パンとが、前記浴槽パン上側から前記床下作業用孔を介しての作業によって床下側に設けられた浴室内に露出しない接続手段によって接続される浴室ユニットであって、前記浴槽パンと洗い場パンとが接続部において床面間がほぼ段差なく接続されるとともに、前記浴槽パンおよび洗い場パンが、浴槽パンと洗い場パンとの接続縁を除く周縁部にそれぞれ壁パネル受部を有し、接続状態でこれら壁パネル受部が同一平面内に配置され、浴槽の固定部が前記床下作業用孔の周囲に水密に固定される。したがって、床下作業用孔を閉じる蓋を別途用意する必要がない。また、すべての壁パネル受部が同一平面内に配置されるので、ドアや窓枠等の取付位置を浴室壁面の全周にわたって自由に選択することができる。すなわち、ドアを洗い場パンと浴槽パンとに跨る位置にも設置することができる。
【図面の簡単な説明】
【００１０】
【図１】本発明にかかる浴室ユニットの第１の実施の形態をあらわす浴室内側の斜視図である。
【図２】図１の浴室ユニットの、浴槽パンおよび洗い場パン部分の浴槽を分解状態の斜視図である。
【図３】図１の浴室ユニットの、浴槽パンと洗い場パンとの接続部の断面図である。
【図４】図３の接続部の接続工程の１工程をあらわす断面図である。
【図５】図４の後工程をあらわす断面図である。
【図６】図１の浴室ユニットの浴槽部分の浴槽の長手方向の軸にそって切断した状態の断面図である。
【図７】図１の浴室ユニットの浴槽部分の浴槽の短手方向の軸にそって切断した状態の断面図である。
【図８】図６の浴室ユニットの浴槽部分の浴槽の浴槽本体と浴槽下部部材との接続部拡大断面図である。
【図９】本発明にかかる浴室ユニットの第２の実施の形態をあらわし、その浴槽パンと洗い場パンとの接続部の断面図である。
【図１０】図９の接続部の接続工程の１工程をあらわす断面図である。
【図１１】図１０の後工程をあらわす断面図である。
【発明を実施するための形態】
【００１１】
以下に、本発明を、その実施の形態をあらわす図面を参照しつつ詳しく説明する。
図１〜図８は、本発明にかかる浴室ユニットの第１の実施の形態をあらわしている。
【００１２】
図１に示すように、この浴室ユニット１ａは、洗い場パン２ａと浴槽パン３ａとを備えている。
図２に示すように、洗い場パン２ａは、平面視長方形をしていて、後述する浴槽パン３ａとの接続縁を除く長方形の３辺に沿って壁パネル受部２１が設けられ、床面２２の浴槽パン３ａとの接続縁側中央部に排水口２３が設けられている。
【００１３】
また、洗い場パン２ａは、図３〜図５に示すように、浴槽パン３ａとの接続縁側に浴槽パン３ａを下方から受ける浴槽パン受部２４を備えている。
浴槽パン受部２４は、ボルト挿通孔２４１が接続縁に沿って所定ピッチ（たとえば、    ｍｍピッチ）で複数穿設されている。
そして、洗い場パン２ａは、たとえば、繊維強化不飽和ポリエステル樹脂をプレス成形して得られる。
【００１４】
上記壁パネル受部２１は、洗い場パン２ａを水平に設置したとき、その上面が３辺とも水平になる、すなわち、同一平面上に収まるようになっている。
また、上記床面２２は、図２に２点鎖線で示すように、排水口２３方向に多面勾配になっている。すなわち、床面２２に落ちた湯や水は、図２に矢印で示す方向に流れ、２点鎖線で示した部分に達すると、２点鎖線部分に沿って排水口２３へと流れるようになっている。なお、図１中、２３ａは排水口２３の蓋である。
【００１５】
上記浴槽パン受部２４は、ステンレス鋼板を板金加工した補強フレーム２５が接着剤によって接着されることによって補強されている。
補強フレーム２５は、ボルト挿通孔２４１に対応する位置に同様の径のボルト挿通孔２５１が穿設されている。
【００１６】
浴槽パン３ａは、図２に示すように、平面視長方形をしていて、洗い場パン２ａとの接続縁を除く３辺に沿って壁パネル受部３１が設けられている。そして、浴槽パン３ａは、たとえば、繊維強化不飽和ポリエステル樹脂をプレス成形して得られる。
上記壁パネル受部３１は、後で詳述するように、浴槽パン３ａを洗い場パン２ａと接続した状態で、洗い場パン２ａの壁パネル受部２１と同一平面上に収まる、すなわち、同じ高さとなるようになっている。
【００１７】
上記床面３２は、洗い場パン２ａと同様の多面勾配になっているとともに、浴槽周囲に、浴槽形状に沿った一定勾配の溝が掘られている。したがって、浴槽パン２ａの床面に落ちた湯や水は、浴槽周囲を周りこむように流れ、最終的には、洗い場パン２ａとの接続端縁中央部側に流れて、排水口２３に流れ込むようになっている。
また、浴槽パン３ａの床面３２には、床下作業用孔３４を備えた立ち上がり部３３が設けられている。
【００１８】
立ち上がり部３３は、３辺の壁パネル受部３１との間、すなわち、壁パネル受部３１に下端が受けられて浴室側壁を構成する壁パネル７、ドア枠５との間に人が通れる程度の隙間が形成されるように設けられている。
【００１９】
そして、洗い場パン２ａと浴槽パン３ａとは、図３に示すように、浴槽パン３ａの床下側に設けられた接続ボルト３３１に床下側でナット３７を締めこむことによって、接続されている。なお、接続ボルト３３１は、図３〜図５に示すように、ステンレス鋼等の金属製の補強フレーム３３０に一体に設けられている。補強フレーム３３０は、補強フレーム３３０側から木質の補強板３３２側にビス３３３をねじ込むことによって、浴槽パン３ａの端縁部を挟み込んで補強した状態で浴槽パン３ａに固定されている
【００２０】
すなわち、洗い場パン２ａと浴槽パン３ａとは、以下のようにして接続されている。
（１）洗い場パン２ａを、図４に示すように、脚部材（図示せず）を介して建物躯体床との間に配管隙間を形成した状態に水平に設置する。
（２）洗い場パン２ａの施工完了後、図４に示すように、浴槽パン３ａを、接続ボルト３３１が、洗い場パン２ａの浴槽パン受部２４に設けられたボルト挿通孔２４１を上方から臨むように配置する。また、水密材３５を補強フレーム３３０の洗い場パン側の面に添設した状態にしておく。
（３）図５に示すように、接続ボルト３３１をボルト挿通孔２５１に挿通して洗い場パン２ａの浴槽パン受部２４に浴槽パン３ａの洗い場パン２ａ側端縁が受けられた状態にする。
（４）浴槽パン３ａの床下作業用孔３４を介して作業者が床上側から床下に手を差し入れて、ナット３７を接続ボルト３３１に螺合させて、図３のように浴槽パン３ａを洗い場パン２ａに接続する。また、浴槽パン３ａと洗い場パン２ａとの目地部分には、目地材３６を挿入嵌合する。
なお、図３〜図５中、２６は排水トラップである。
【００２１】
浴槽４は、図２、図６〜図８に示すように、浴槽本体４１と、浴槽下端部を構成する浴槽下部部材４２とを備えている。
浴槽下部部材４２は、たとえば、繊維強化不飽和ポリエステル樹脂をプレス成形して得られ、皿状をした部材本体４２ｃと、部材本体４２ｃの上端縁から外側に延出するフランジ状の浴槽パン固定部４２ａを備えている。
【００２２】
そして、浴槽下部部材４２は、図６〜図８に示すように、部材本体４２ｃを床下作業用孔３４内に臨ませるとともに、浴槽パン固定部４２ａを，パッキン４８を介して立ち上がり部３３の上端部に受けさせ、固定ビス４９を浴槽パン固定部４２ａ側から浴槽受部１２ｂにねじ込むことによって、浴槽パン固定部４２ａにおいて浴槽パン３ａに水密に固定されている。
上記固定状態において、浴槽パン３ａの床面３２から浴槽下部部材４２の浴槽パン固定部４２ａの上端までの高さは５〜１０ｃｍである。
【００２３】
また、浴槽下部部材４２は、図６に示すように、その底に排水トラップ２６に接続される排水孔４２ｂを備えている。
排水孔４２ｂには、中央に後述する排水管４４が水密に接続される接続孔を有するキャップ２６ａがはめ込まれている。
また、キャップ２６ａは、排水トラップ２６側の水位が上昇してきたときに閉鎖するフロート弁付きの小さな排水孔を備え、万一浴槽下部部材４２内で水漏れが生じた場合でも浴槽下部部材４２内の水を排水トラップ２６側へ排水できるようになっている。
【００２４】
浴槽本体４１は、繊維強化不飽和ポリエステル等の繊維強化樹脂成形体であって、入浴部である浴槽部４１ａと、框部４１ｂと、エプロン部４１ｃとを備えている。
浴槽部４１ａは、その底に排水口４１１を備えている。
【００２５】
框部４１ｂは、浴槽部４１ａの上端縁から外側に張り出すように設けられている。
エプロン部４１ｃは、図６〜図８に示すように、框部４１ｂの外縁から下方に延出している。すなわち、浴槽部４１ａとエプロン部４１ｃとの間には、機能部品の配設空間Ｓが形成されている。
【００２６】
また、エプロン部４１ｃは、浴槽４の長手方向の両側に他の部分より窪んだ開口部４１ｄを備えるとともに、この開口部４１ｄを覆う蓋４１ｅを備え、下端部がパッキン４７を介して浴槽パン固定部４２ａに水密状態で載置されている。
開口部４１ｄは、その下端側に、後述する蓋４１ｅの下側係止金具４１ｈが弾性係合するテンレス鋼などから形成された係合金具４１ｊが一体に設けられている。
【００２７】
蓋４１ｅは、開口部４１ｄを覆うとともに、開口部４１ｄ周縁に圧接されるパッキン４１ｇ，４１ｉを開口部４１ｄ周縁に対向するように備えている。
また、蓋４１ｅは、その上端に開口部４１ｄに上縁部に弾性係合するステンレス鋼などから形成された係止爪４１ｆを備え、その下端にテンレス鋼などから形成された下側係止金具４１ｈが設けられている。
【００２８】
配設空間Ｓ内には、図６および図８に示すように、機能部品としての追い炊き配管４５、排水管４４、ポップアップ水栓装置４３が配設されている。
排水管４４は、一端が排水口４１１に接続され、他端がキャップ２６ａを介して排水トラップ２６内に臨んでいる。
追い炊き配管４５は、追い炊き口４５ａに接続されている。
ポップアップ水栓装置４３は、操作ボタン４３ａを操作することによって、水栓本体４３ｂが排水口４１１を開閉するようになっている。
【００２９】
また、この浴室ユニット１ａは、図１に示すように、浴槽パン３ａと洗い場パン２ａに跨ってドア枠５が設けられている。また、浴槽４の長手側壁面に対面する浴室壁面には、浴槽壁面に対面するように窓６が設けられいる。
また、窓６が設けられた浴室壁面には、窓６を両側から挟むようにコーナー部に沿って、間接照明装置９がそれぞれ設けられている。
２つの間接照明装置９は、一方の間接照明装置９から他方の間接照明装置９に向かってそれぞれ窓６が設けられた壁面に沿ってライン光を照射するようになっている。
また、間接照明装置９は、光源としてＬＥＤが壁面の上下方向に多数配置されたＬＥＤユニットが用いられて省電が図られている。
図１中、７は壁パネル、８は天井パネルである。
【００３０】
この浴室ユニット１ａは、上記のように、浴槽パン３ａの壁パネル受部２１および洗い場パン２ａの壁パネル受部３１が浴槽パン３ａと洗い場パン２ａとを接続した状態で、壁パネル受部２１，３１の上面が同一平面上に収まるようになっているので、ドア枠５を浴槽パン３ａと洗い場パン２ａに跨って取り付けることができる。
すなわち、ドア枠５を浴室壁面のいずれの位置にも取り付け可能である。したがって、壁パネル７やドア枠５の組み合わせを変えることによって、浴室の意匠を需要者の好みや隣室の配置に合わせて自由に変更することができる。
【００３１】
また、この浴室ユニット１ａは、浴槽パン３ａに設けられた床下作業用孔３４を介して床下側で浴槽パン３ａと洗い場パン２ａとを床面２２，３２上に露出しない接続手段としての接続ボルト３３１とナット３７によって浴槽パン３ａと洗い場パン２ａとを接続することができるので、浴室内を見栄えのよいものとすることができる。また、固定ビスを覆い隠すキャップ等も不要となるとともに、固定ビスの緩みによる漏水などのおそれもない。
【００３２】
さらに、この浴室ユニット１ａは、浴槽４の下端部である浴槽下部部材４２が水密に床下作業用孔３４にはまり込んで床下作業用孔３４を閉じるようになっているので、別途床下作業用孔３４を設ける必要がない。
また、この浴室ユニット１ａは、浴槽４が壁面から離れて設けられるとともに、浴槽４が配設空間Ｓを備え、この配設空間Ｓ内に機能部品が収容されるようになっているので、壁面の自由な位置に窓６を設けるなどでき、意匠性に富んだ浴室とすることができる。
【００３３】
また、この浴室ユニット１ａは、上記のように、浴槽４が、浴槽本体４１と、浴槽下部部材４２とからなり、まず、浴槽下部部材４２を浴槽パン３ａに固定したのち、浴槽本体４１を浴槽下部部材４２上に設置するようになっているので、浴槽設置の際、浴槽本体４１を跨ぎこみ高さより５〜１０ｃｍ持ち上げるだけで浴槽４の設置作業を完了させることができ、浴槽４の設置作業性がよい。
【００３４】
また、追い炊き配管等から漏水があっても浴槽下部部材４２によって受けられてキャップ２６ａに設けられたフロート弁付き排水孔を介して排水トラップ２６側に排水され、床下に排水がもれることがない。
また、エプロン部４１ｃが蓋４１ｅを備えた開口部４１ｄを備え、蓋４１ｅを開放すれば、浴室内から配設空間Ｓ内を臨めるので、浴槽４を設置したのちでも、追い炊き配管４５、排水管４４やポップアップ水栓装置４３の設置作業および点検作業や浴槽本体４１と浴槽下部部材４２との接続部の点検作業等を行うことができる。
【００３５】
図９〜図１１は本発明にかかる浴室ユニットの第２の実施の形態をあらわしている。
図９〜図１１に示すように、この浴室ユニット１ｂは、断面略逆Ｌ字形をしたステンレス鋼の板材を板金加工して得られた補強フレーム３９が浴槽パン３ｂの洗い場パン２ｂ側の端縁に沿って浴槽パン３ｂの裏面（床下側）に接着固定されている。
【００３６】
補強フレーム３９は、ボルト挿通孔３９０が浴槽パン３ｂの洗い場パン２ｂとの接続端縁に沿って、所定ピッチで複数穿設されている。
また、浴槽パン３ｂは、洗い場パン２ｂ側の端縁に下方に延出するリブ３８を備えている。
【００３７】
一方、洗い場パン２ｂは、浴槽パン受部２７０が段状に形成されていて、その上段側にビス２７１ａを介して断面略Ｌ字形をした目地材受けフレーム２７１が固定されている。浴槽パン受部２７０の下段には、後述する固定ボルト３９１のねじ受けフレーム２７２がビス２７４によって固定されている。
ねじ受けフレーム２７２は、ステンレス鋼製の角パイプで形成されていて、固定ボルト３９１がねじ込まれる部分にボルト挿通孔２７２ａが穿設され、このボルト挿通孔２７２ａの位置に固定ボルト３９１が螺合するナット２７３が溶接固定されている。
【００３８】
そして、この浴室ユニット１ｂは、図１０に示すように、リブ３８の下端が浴槽パン受部２７０の上段で受けられるとともに、リブ３８と洗い場パン２ｂとの間に水密材（図示せず）を介在させた状態で、補強フレーム３９のボルト挿通孔３９１と、ねじ受けフレーム２７２のナット２７３の位置を一致させる。
図１１に示すように、固定ボルト３９１をナット２７３の位置に合わせて、図９に示すように、床下作業用孔３４を介して水平方向からナット２７３にねじ込み、固定ボルト３９１のねじ込みによって浴槽パン３ｂを、洗い場パン２ｂに固定する。
なお、図９，１０中、３６は止水機能を持つ目地材である。また、目地材３６と、目地材受けフレーム２７１と間には、図示していないが、水密材が設けられている。
【００３９】
なお、この浴室ユニット１ｂは、上記以外の構成が上記浴室ユニット１ａと同じになっている。したがって、上記浴室ユニット１ａと同様の部材については同じ符号を付している。
【００４０】
以上のように、この浴室ユニット１ｂの場合、洗い場パン２ｂは、床下作業用孔３４側から固定ボルト３９１を水平方向にねじ込むことによって、洗い場パン２ｂと浴槽パン３ｂとが固定できるので、浴室ユニット１ａに比べ、作業者が床下作業用孔３４から腕や体を床下に深くい挿入しないで作業でき、作業性がよい。
【００４１】
本発明は、上記の実施の形態に限定されない。たとえば、上記の実施の形態では、浴槽が浴槽本体と浴槽下部部材とに別れていたが、下端部が床下作業用孔を水密に塞ぐような構造となっていれば、内部に配設空間を備えていない一体成形された浴槽を用いるようにしても構わない。
上記の実施の形態では、壁面に窓や間接照明装置が設けられていたが、なくても構わない。
【符号の説明】
【００４２】
１ａ，１ｂ  浴室ユニット
２ａ，２ｂ  洗い場パン
２１  壁パネル受部
３ａ，３ｂ  浴槽パン
３１  壁パネル受部
３４  床下作業用孔
４  浴槽
４１ 浴槽本体
４１ａ  浴槽部
４１ｂ  框部
４１ｃ  エプロン部
４１ｄ  開口部
４１ｅ  蓋
４３  ポップアップ水栓装置(機能部品)
４４  排水管(機能部品)
４５  追い炊き配管(機能部品)
Ｓ  配設空間
【図１】
0006016223.tif 000002
【図２】
0006016223.tif 000003
【図３】
0006016223.tif 000004
【図４】
0006016223.tif 000005
【図５】
0006016223.tif 000006
【図６】
0006016223.tif 000007
【図７】
0006016223.tif 000008
【図８】
0006016223.tif 000009
【図９】
0006016223.tif 000010
【図１０】
0006016223.tif 000011
【図１１】
0006016223.tif 000012